(57)【要約】
【課題】燕下時の各器官の動きを患者が具体的に把握できるような医療用説明補助具を提供する。
【解決手段】横方向からみた人体の口、鼻、喉の断面構造を表示する医療用説明補助具において、当該説明補助具に示された口腔と鼻孔を隔てる軟口蓋表示部を、前記鼻腔を閉じる位置と開く位置との間で可動とすると共に、同じく前記説明補助具に示された気道入り口の咽頭蓋表示部を、前記気道を閉じる位置と開く位置間で可動とする。前記軟口蓋表示部が鼻孔を閉じるのと連動して前記口腔内から咽頭の方へ移動する食塊表示部を設け、前記咽頭蓋表示部が気道を閉じるのと連動して上側に移動する舌骨表示部及び食道を拡げる位置へ移動する隔壁表示部を設ける。
【選択図】図４
0003100852.tif 000002
【実用新案登録請求の範囲】
【請求項１】
横からみた人体の口、鼻、喉の断面構造を表示する医療用説明補助具において、当該説明補助具に示された口腔と鼻孔を隔てる軟口蓋表示部を、前記鼻腔を閉じる位置と開く位置との間で可動とすると共に、前記軟口蓋表示部が鼻孔を閉じるのと連動して前記口腔内から咽頭の方へ移動する食塊表示部を前記口腔内に配置したことを特徴とする医療用説明補助具。
【請求項２】
請求項１に記載の医療用説明補助具において、前記軟口蓋表示部と食塊表示部が軸を中心に回動する部材に描画されており、当該回動部材に設けられた持ち手を操作することによって移動することを特徴とする医療用説明補助具。
【請求項３】
請求項１又は２に記載の医療用説明補助具において、前記説明補助具に示された気道入り口の咽頭蓋表示部を、前記気道を閉じる位置と開く位置間で可動としたことを特徴とする医療用説明補助具。
【請求項４】
請求項３に記載の医療用説明補助具において、前記咽頭蓋表示部が気道を閉じるのと連動して上側に移動する舌骨表示部を具えることを特徴とする医療用説明補助具。
【請求項５】
請求項３又は４に記載の医療用説明補助具において、気道と食道を隔てる隔壁表示部であって、前記咽頭蓋表示部が気道を閉じるのと連動して食道を拡げる位置へ移動する隔壁表示部を具えることを特徴とする医療用説明補助具。
【請求項６】
請求項１乃至５のいずれかに記載の医療用説明補助具が、紙、プラスチック、木のいずれかの素材でできていることを特徴とする医療用説明補助具。
【考案の詳細な説明】
【技術分野】
【０００１】
本考案は、医療用説明補助具に関するものであり、特に、燕下障害の説明に用いる説明補助具に関する。
【背景技術】
【０００２】
医療の現場において、患者に病気、あるいは障害の状態を説明するために、模型などを利用することが行われている。例えば、燕下障害を説明するためには、口腔、鼻腔、咽頭の概略断面図を用いて、燕下動作時の各器官の動きを患者に把握させ、どのような場合に燕下障害が生じるのかを視覚的に説明することによって、障害を取り除くための治療を円滑に行いうるといった効果がでる。
【考案の開示】
【考案が解決しようとする課題】
【０００３】
従来の燕下障害の説明には、口腔、鼻腔、咽頭部分の単なる断面図が用いられており、医師が口頭で各器官の動きを説明するようにしている。しかしながら、例えば、年少の子供や、高齢の患者等は、口頭の説明のみでは、各器官の動作や、作用の理解が容易でなく、燕下障害の改善が困難な場合がある。
【０００４】
本考案は、燕下時の各器官の動きを患者が具体的に把握できるような医療用説明補助具を提供して、燕下障害の改善治療をより容易に行えるようにすることを目的とする。
【課題を解決するための手段】
【０００５】
本考案の医療用説明補助具は、横方向からみた人体の口、鼻、喉の断面構造を示す医療用説明補助具において、当該説明補助具に示された口腔と鼻孔を隔てる軟口蓋表示部を、前記鼻腔を閉じる位置と開く位置との間で可動とすると共に、前記軟口蓋表示部が鼻孔を閉じるのと連動して前記口腔内から咽頭の方へ移動する食塊表示部を前記口腔内に配置したことを特徴とする。
【０００６】
本考案の医療用説明補助具は、前記説明補助具に示された気道入り口の咽頭蓋表示部を、前記気道を閉じる位置と開く位置間で可動としたことを特徴とする。
【０００７】
本考案の医療用説明補助具は、前記軟口蓋表示部と食塊表示部が固定軸を中心に回動する部材に描画されており、当該回動部材に設けられた持ち手を操作することによって移動することを特徴とする。
【０００８】
本考案の医療用説明補助具は、前記咽頭蓋表示部が気道を閉じるのと連動して上側に移動する舌骨表示部を具えることを特徴とする。
【０００９】
本考案の医療用説明補助具は、気道と食道を隔てる隔壁表示部であって、前記咽頭蓋表示部が気道を閉じるのと連動して食道を拡げる位置へ移動する隔壁表示部を具えることを特徴とする。
【００１０】
本考案の医療用説明補助具は、紙、プラスチック、木のいずれかの素材でできていることを特徴とする。
【考案の効果】
【００１１】
本考案によれば、燕下動作を行う際の、口腔、鼻腔、咽喉、食道の動きを視覚的に把握することができるため、燕下障害を有する患者に説明が容易になると共に、治療効果を高めることができる。
【考案を実施するための最良の形態】
【００１２】
以下、本考案の一実施形態について、図面を参照して説明する。
【００１３】
本実施形態の補助具は４つのパーツを組み合わせて構成され、これらパーツのうち最も大きな基板面１１を図１に示す。基板面１１には、人間の頭部および咽喉部の断面が模式的に描かれており、鼻腔１４、唇１５、歯１６、咽喉２０、顎２１、頭蓋２４等が表示されている。この基板面１１は例えばＡ３版（２９７ｍｍ×４２０ｍｍ）の大きさの厚紙、木、プラスチックなどの薄い板状部材でなり、口腔および鼻腔の一部に第１の開口部１２が、また舌骨の部分に第２の開口部１３がそれぞれ設けられている。
【００１４】
顎２１の下には軸穴３４が設けられ、軸穴３４を中心とした弧の一部にスリット２５が設けられている。後述するように、この軸穴３４およびスリット２５は基板面１１の下に配置される円盤状部材３１を止めつけ回動させるために設けられる。
【００１５】
基板面１１に表示された咽喉部には、３つのスリット４１、４２、４３が開口している。スリット４１は咽頭部において咽頭蓋の付け根の位置に、スリット４２は気道部分に、スリット４３は食道部分に設けられている。これらスリット４１〜４３は、後述するように、舌骨、咽頭蓋、気道と食道を隔てる隔壁を保持し、可動とするために設けられる。
【００１６】
図２に、基板面１１の下側に配備される円盤状部材３１の構成を示す。円盤状部材３１には、舌３２と、舌３２の上に形成される食塊３７と、舌３２の上に位置する軟口蓋３３が描かれており、これらは基板面１１において第１の開口部１２の下に配置されることにより部分的に口腔内に表示されることになる。円盤状部材３１は回動軸３５を基板面１１の軸穴３４にピンで留めることにより、基板面１１に対して回動可能に取り付けられる。
【００１７】
また、回動軸３５を挟んで図柄（舌３２や食塊３７）と反対側の位置に持ち手３６が設けられており、持ち手３６を基板面１１のスリット２５から基板面上に出すことにより、基板面上から持ち手３６を手動で操作可能とするとともに、円盤状部材３１の回動角を制限している。なお、回動軸３５を円盤状部材３１において偏心させた位置に設けることにより、持ち手３６の少ない操作量で図柄の大きな動きを実現している。
【００１８】
図３は、気道と食道を隔てる隔壁および舌骨を可動とするスライド部材５１と、スライド部材５１と連動して咽頭蓋を可動とする補助部材５２の構成を示す図である。スライド部材５１は、略Ｌ字をなす帯状体の中間部に隔壁表示部５３を設けて構成され、Ｌ字の屈曲部分にスリット５５を、屈曲端部に舌骨表示部５４を、帯状体の反対側端部につまみ５７を具えている。説明補助具の組み立てにおいて、隔壁表示部５３を基板面１１上に延在させ、帯状体の舌骨表示部５４側を基板面１１のスリット４２に、つまみ５７側を基板面１１のスリット４３に挿入する。さらに、基板面１１の右下に設けられた開口４５からつまみ５７を再び表面に出す。基板面１１においてスリット４２−４３間は隔壁表示部５３の幅より大きくとるようにする。つまみ５７を持ってスライド部材５１をその延在方向に摺動させると、気道と食道の間で隔壁５３が移動する。同時に、基板面１１の開口１３に表示される舌骨５４が上下に移動する。
【００１９】
補助部材５２は、一方の端部にある咽頭蓋表示部５６を基板面１１のスリット４１から出し、他方の端部を基板面１１の下でスライド部材５１のスリット５５に挿入する。スライド部材５１を摺動させると、基板面１１のスリット４１を支点として咽頭蓋表示部５６の先端が上下動する。なお、補助部材５２の中間部はスリット４１およびスリット５５より幅広に構成し、これらスリット間に補助部材５２が保持されるよう構成している。
【００２０】
補助具１の組み立て方法を図４に示す。図４に示すように、まず基板面１１の上からスライド部材５１の帯状体をスリット４２、４３に挿入し、つまみ５７を再び基板面上に出す。補助部材５２の咽頭蓋表示部５６を基板面１１の下側からスリット４１に出し、補助部材５２の他方の端部をスライド部材５１のスリット５５に挿入する。次に、円盤状部材３１を、持ち手３６がスリット２５から出るようにして回動軸３５と軸穴３４とを合わせ、ピンで留める。最後にこれらをパネル６０に載せ、四隅を留めつける。
【００２１】
このように構成した補助具１は、以下の通り動作する。
持ち手３６を反時計回りに回動させると円盤状部材３１が回動し、図５に示すように、開口部１２に人が食物を摂取して食塊が形成される状態を観ることができる。この状態では、口腔と鼻腔を隔絶する軟口蓋３３が開いており、鼻腔と咽喉は連通している。舌尖は持ち上がり硬口蓋と接し、また、舌後部が持ち上がり軟口蓋３３に接触し、食塊が咽喉に流れ込まないような状態にある。
【００２２】
このとき、スライド部材５１のつまみ５７は下側に引っ張っておく。図５に示すように、この状態では、開口部１３に表示される舌骨５４は下がり、隔壁５３は気道を広く確保する位置にあり、かつ、咽頭蓋５６は開いた状態にある。
【００２３】
次いで、図６に示すように持ち手３６を時計回りに回動させると、円盤状部材３１が回動し、口腔内で形成した食塊の燕下開始の状態を、第１の開口部１２を介して観ることができる。すなわち、舌根は基板面１１の下に隠れて見えなくなり、食塊が咽喉内に落ちて行く様子がわかる。このとき、円盤状部材３１に描かれた軟口蓋３３の延長部が現れ鼻腔と口腔の間を閉じる。これによって、食塊の燕下が開始されると共に軟口蓋が引き下げられ鼻腔が閉じ、食塊が鼻腔内に逆流しない構造を観察することができる。
【００２４】
ここで、スライド部材５１のつまみ５７を上げると、図６に示すように、舌骨５４が挙上するとともに、咽頭蓋５６が下がり、隔壁５３が斜め上方向に上がって、気道が閉じ食道が開いた状態となる。このとき基板面１１に描かれていた食塊が姿を現し、食道内を食塊が通過する状態を観察することができる。
【００２５】
このような補助具を用いて、医師あるいは栄養士などが、患者に、食物の燕下動作を説明することにより、患者は、口腔、鼻腔、咽喉、気道、食道などの動作を視覚的に的確に認識することが可能となる。
【産業上の利用可能性】
【００２６】
本考案によれば、患者が燕下時の各器官の様子を視覚的に認識することができるので、医療の現場で、燕下障害をもつ患者、特に、子供や老人に燕下障害の原因を認識させ、その改善を図るための道具として利用することができる。
【図面の簡単な説明】
【００２７】
【図１】説明補助具を構成する基板面１１の構成を示す図である。
【図２】説明補助具を構成する円盤状部材３１の構成を示す図である。
【図３】説明補助具を構成するスライド部材５１の構成を示す図である。
【図４】補助説明具の組み立て方法を示す図である。
【図５】補助説明具において食塊形成過程を表示した状態を示す図である。
【図６】補助説明具において嚥下行程を表示した状態を示す図である。
【符号の説明】
【００２８】
１      説明補助具
１１    基板面
１２    第１の開口部
１３    第２の開口部
３１    円盤状部材
５１    スライド部材
５２    補助部材
５３    隔壁表示部
５４    舌骨表示部
６０    パネル
【図１】
0003100852.tif 000003
【図２】
0003100852.tif 000004
【図３】
0003100852.tif 000005
【図４】
0003100852.tif 000006
【図５】
0003100852.tif 000007
【図６】
0003100852.tif 000008